(57)【特許請求の範囲】
【請求項１】
現在の変調方式および符号化レートを変更したときのスループットを第１のスループットとして算出する第１の算出部と、
現在の再送単位を変更したときのスループットを第２のスループットとして算出する第２の算出部と、
所定の条件が満たされた時点で、前記第１のスループットが前記第２のスループット以上の場合に、現在の変調方式および符号化レートを変更し、前記第１のスループットが前記第２のスループット未満の場合に、再送単位を変更する設定部と、
前記変更された変調方式および符号化レートと再送単位に基づいて、通信相手の他の通信装置へデータを送信する送信部とを備えた、通信装置。
【請求項２】
前記送信部は、さらに各再送単位の領域を定めた情報を含む制御データを送信し、
前記第１の算出部は、変更後の変調方式および符号化レート、現在の再送単位、取得したエラーレートの下で所定時間内に送信できるユーザデータ量から、所定時間内に現在の各再送単位の領域を定めた情報を含む制御データの必要なデータ量を減じることによって、前記第１のスループットを算出し、
前記第２の算出部は、現在の変調方式および符号化レート、変更後の再送単位、取得したエラーレートの下で所定時間内に送信できるユーザデータ量から、所定時間内に変更後の各再送単位の領域を定めた情報を含む制御データの送信に必要なデータ量を減じることによって、前記第２のスループットを算出する、請求項１記載の通信装置。
【請求項３】
前記第１の算出部は、現在の変調方式および符号化レートを１段階シフトダウンしたときのスループットを前記第１のスループットとして算出し、
前記第２の算出部は、現在の再送単位を所定の範囲内で減少させたときのスループットの最大値を前記第２のスループットとして算出するとともに、前記スループットが最大となるときの再送単位を縮小再送単位として特定し、
前記設定部は、所定の条件が満たされた時点で、前記第１のスループットが前記第２のスループット以上の場合に、現在の変調方式および符号化レートを１段階シフトダウンし、前記第１のスループットが前記第２のスループット未満の場合に、再送単位を前記縮小再送単位に変更する、請求項１記載の通信装置。
【請求項４】
現在の変調方式および符号化レートと、現在の搬送波レベル対干渉・雑音比と、現在のパケットエラーレートに対応させて、変調方式および符号化レートを１段階シフトダウンしたときのパケットエラーレートの予想値を定めた情報を記憶する記憶部と、
通信相手の他の通信装置での受信信号の搬送波レベル対干渉・雑音比、およびパケットエラーレートを取得する通信品質管理部とを備え、
前記第１の算出部は、前記パケットエラーレートの予想値を定めた情報を参照して、現在の変調方式および符号化レート、前記取得した搬送波レベル対干渉・雑音比、および前記取得したパケットエラーレートに対して、変調方式および符号化レートを１段階シフトダウンしたときのパケットエラーレートの予想値を求めて、前記予想値に基づいて、前記第１のスループットを算出する、請求項３記載の通信装置。
【請求項５】
前記第１の算出部は、現在の変調方式および符号化レートを１段階シフトダウンさせてテスト通信を行なわせ、前記テスト通信でのスループットを前記第１のスループットとして算出する、請求項３記載の通信装置。
【請求項６】
前記第２の算出部は、現在の再送単位を所定の範囲内で減少させてテスト通信を行なわせ、前記テスト通信によって得られたスループットの最大値を前記第２のスループットとして算出する、請求項３記載の通信装置。
【請求項７】
各変調方式および符号化レートのレベルに対応する所要搬送波レベル対干渉・雑音比の範囲を定めた情報を記憶する記憶部と、
通信相手の他の通信装置での受信信号のエラーレートおよび搬送波レベル対干渉・雑音比を取得する通信品質管理部とを備え、
前記設定部は、前記記憶部内の前記対応を定めた情報を参照して、現在の変調方式および符号化レートでの所要搬送波レベル対干渉・雑音比の範囲に前記取得した受信信号の搬送波レベル対干渉・雑音比が含まれない場合に、前記取得した受信信号の搬送波レベル対干渉・雑音比が所要搬送波レベル対干渉・雑音比の範囲に含まれるような変調方式および符号化レートに切替え、
前記変調方式および符号化レートの切換え後、前記取得した受信信号のエラーレートがシフトダウンの条件に該当した時点で、前記切換部は、前記変調方式および符号化レートのシフトダウンまたは前記再送単位の変更を行なう、請求項３〜６のいずれか１項に記載の通信装置。
【請求項８】
前記第１の算出部は、現在の変調方式および符号化レートを１段階シフトアップしたときのスループットを前記第１のスループットとして算出し、
前記第２の算出部は、現在の再送単位を所定の範囲内で増加させたときのスループットの最大値を前記第２のスループットとして算出するとともに、前記スループットが最大となるときの再送単位を拡大再送単位として特定し、
前記設定部は、所定の条件が満たされた時点で、前記第１のスループットが前記第２のスループット以上の場合に、現在の変調方式および符号化レートを１段階シフトアップし、前記第１のスループットが前記第２のスループット未満の場合に、再送単位を前記拡大再送単位に変更する、請求項１記載の通信装置。
【請求項９】
現在の変調方式および符号化レートと、現在の搬送波レベル対干渉・雑音比と、現在のパケットエラーレートに対応させて、変調方式および符号化レートを１段階シフトアップしたときのパケットエラーレートの予想値を定めた情報を記憶する記憶部と、
通信相手の他の通信装置での受信信号の搬送波レベル対干渉・雑音比、およびパケットエラーレートを取得する通信品質管理部とを備え、
前記第１の算出部は、前記パケットエラーレートの予想値を定めた情報を参照して、現在の変調方式および符号化レート、前記取得した搬送波レベル対干渉・雑音比、および前記取得したパケットエラーレートに対して、変調方式および符号化レートを１段階シフトアップしたときのパケットエラーレートの予想値を求めて、前記予想値に基づいて、前記第１のスループットを算出する、請求項８記載の通信装置。
【請求項１０】
前記第１の算出部は、現在の変調方式および符号化レートを１段階シフトアップさせてテスト通信を行なわせ、前記テスト通信でのスループットを前記第１のスループットとして算出する、請求項８記載の通信装置。
【請求項１１】
前記第２の算出部は、現在の再送単位を所定の範囲内で増加させてテスト通信を行なわせ、前記テスト通信によって得られたスループットの最大値を前記第２のスループットとして算出する、請求項８記載の通信装置。
【請求項１２】
各変調方式および符号化レートのレベルに対応する所要搬送波レベル対干渉・雑音比の範囲を定めた情報を記憶する記憶部と、
通信相手の他の通信装置での受信信号のエラーレートおよび搬送波レベル対干渉・雑音比を取得する通信品質管理部とを備え、
前記設定部は、前記記憶部内の前記対応を定めた情報を参照して、現在の変調方式および符号化レートでの所要搬送波レベル対干渉・雑音比の範囲に前記取得した受信信号の搬送波レベル対干渉・雑音比が含まれない場合に、前記取得した受信信号の搬送波レベル対干渉・雑音比が所要搬送波レベル対干渉・雑音比の範囲に含まれるような変調方式および符号化レートに切替え、
前記変調方式および符号化レートの切換え後、前記取得した受信信号のエラーレートがシフトアップの条件に該当した時点で、前記切換部は、前記変調方式および符号化レートのシフトアップまたは前記再送単位の変更を行なう、請求項８〜１１のいずれか１項に記載の通信装置。
【請求項１３】
通信装置の通信方法であって、
現在の変調方式および符号化レート（変調方式および符号化レート）を変更したときのスループットを第１のスループットとして算出するステップと、
現在の再送単位を変更したときのスループットを第２のスループットとして算出するステップと、
所定の条件が満たされた時点で、前記第１のスループットが前記第２のスループット以上の場合に、現在の変調方式および符号化レートを変更し、前記第１のスループットが前記第２のスループット未満の場合に、再送単位を変更するステップと、
前記変更された変調方式および符号化レートおよび再送単位に基づいて、通信相手の他の通信装置へデータを送信するステップとを備えた、通信方法。
【発明の詳細な説明】
【技術分野】
【０００１】
本発明は、通信装置および通信方法に関し、特に、ＨＡＲＱ再送機能およびＭＣＳ設定機能を有する通信装置、およびそのような通信装置の通信方法に関する。
【背景技術】
【０００２】
近年、通信路の伝搬環境に応じて最適な伝送レートで信号を送信するために、適応変調方式が用いられている。適応変調方式では、通信装置は、相手側の通信装置で受信した信号の品質を取得し、取得した品質に基づいて、ＭＣＳ（Modulation and Code Scheme）を適応的に切替えることによって、最適な伝送レート（すなわち高いスループット）を達成する（たとえば、特許文献１（特開２００４−３１２４５８号公報）を参照）。通常、取得した品質が良好な場合には、ＭＣＳは高い方へシフトアップされ、取得した品質が悪い場合には、ＭＣＳは低い方へシフトダウンされる。
【先行技術文献】
【特許文献】
【０００３】
【特許文献１】特開２００４−３１２４５８号公報
【発明の概要】
【発明が解決しようとする課題】
【０００４】
ところで、ＭＣＳを切替えるのではなく、再送単位を切替えることによって、高いスループットが実現できる場合がある。
【０００５】
すなわち、通信路の伝搬環境が良好な場合には、ＭＣＳをシフトアップするのではなく、再送単位の大きさを小さくしても、高いスループットを得ることができる場合がある。また、通信路の伝搬環境が悪い場合には、ＭＣＳをシフトダウンするのではなく、再送単位の大きさを小さくしても、高いスループットを得ることができる場合がある。
【０００６】
しかしながら、ＭＣＳを切替えた方がより高いスループットが得られる場合と、再送単位を切替えた方がより高いスループットが得られる場合がある。
【０００７】
それゆえに、本発明の目的は、ＭＣＳまたは再送単位の大きさを選択的に切替えることによって、高いスループットを達成することができる通信装置を提供することである。
【課題を解決するための手段】
【０００８】
上記課題を解決するために、本発明の通信装置は、現在の変調方式および符号化レートを変更したときのスループットを第１のスループットとして算出する第１の算出部と、現在の再送単位を変更したときのスループットを第２のスループットとして算出する第２の算出部と、所定の条件が満たされた時点で、第１のスループットが第２のスループット以上の場合に、現在の変調方式および符号化レートを変更し、第１のスループットが第２のスループット未満の場合に、再送単位を変更する設定部と、変更された変調方式および符号化レートおよび再送単位に基づいて、通信相手の他の通信装置へデータを送信する送信部とを備える。
【発明の効果】
【０００９】
本発明によれば、ＭＣＳまたは再送単位の大きさを選択的に切替えることによって、高いスループットを達成することができる。
【図面の簡単な説明】
【００１０】
【図１】第１の実施形態の無線基地局の構成を表わす図である。
【図２】ＭＣＳテーブルの例を表わす図である。
【図３】ＰＥＲ予想値テーブルの例を表わす図である。
【図４】本発明の実施形態のＨＡＲＱサブバーストとＨＡＲＱサブバーストＩＥの例を説明するための図である。
【図５】第１の実施形態の無線基地局におけるＭＣＳおよびＨＡＲＱ再送単位の設定手順を表わすフローチャートである。
【図６】第１の実施形態の変形例の無線基地局の構成を表わす図である。
【図７】ＰＥＲ変化予想値テーブルの例を表わす図である。
【図８】第１の実施形態の変形例の無線基地局におけるＭＣＳおよびＨＡＲＱ再送単位の設定手順を表わすフローチャートである。
【図９】第２の実施形態の無線基地局の構成を表わす図である。
【図１０】第２の実施形態の無線基地局におけるＭＣＳおよびＨＡＲＱ再送単位の設定手順を表わすフローチャートである。
【図１１】第３の実施形態の無線基地局の構成を表わす図である。
【図１２】第３の実施形態の無線基地局におけるＭＣＳおよびＨＡＲＱ再送単位の設定手順を表わすフローチャートである。
【図１３】第４の実施形態の無線基地局の構成を表わす図である。
【図１４】第４の実施形態の無線基地局におけるＭＣＳおよびＨＡＲＱ再送単位の設定手順を表わすフローチャートである。
【発明を実施するための形態】
【００１１】
以下、本発明の実施形態について図面を参照して説明する。
［第１の実施形態］
（構成）
図１は、第１の実施形態の無線基地局の構成を表わす図である。
【００１２】
図１を参照して、この無線基地局は、ＷｉＭＡＸの通信方式で動作する基地局であって、第１のアンテナ１０と、第２のアンテナ１１と、送信部１３と、受信部１２と、ＭＡＣ（Media Access Control）層処理部１４とを備える。
【００１３】
送信部１３は、マルチアンテナ送信信号処理部２４と、サブキャリア配置部２３と、ＩＦＦＴ部（Inverse First Fourier Transform）２２と、ＣＰ（Cyclic Prefix）付加部２１と、ＲＦ(Radio Frequency)部２０とを備える。
【００１４】
サブキャリア配置部２３は、たとえばＰＵＳＣ（Partial Usage of Subchannels)に基づいて、サブキャリアを配置する。
【００１５】
マルチアンテナ送信信号処理部２４は、複数のアンテナを組み合わせてデータ送受信の帯域を広げる無線通信方式であるＭＩＭＯ通信方式で、信号を送信する。
【００１６】
ＩＦＦＴ部２２は、マルチアンテナ送信信号処理部２４から出力される複数のサブキャリア信号（周波数領域の信号）をＩＦＦＴによって、時間領域の信号（ＯＦＤＭＡ（Orthogonal Frequency Division Multiple Access）シンボル）に変換する。
【００１７】
ＣＰ付加部２１は、ＯＦＤＭＡシンボルの後尾部分と同じ信号をＣＰとしてＯＦＤＭＡシンボルの先頭に付加する。
【００１８】
ＲＦ部２０は、無線周波数帯にアップコンバートするアップコンバータ、アップコンバートされた信号を増幅する電力増幅回路、増幅された信号のうち所望帯域の信号成分のみを通過させて第１のアンテナ１０および第２のアンテナ１１へ出力するバンドパスフィルタなどを含む。
【００１９】
受信部１２は、ＲＦ部１５と、ＣＰ除去部１６と、ＦＦＴ部１７と、サブキャリア配置部１８とを備える。
【００２０】
ＲＦ部１５は、第１のアンテナ１０および第２のアンテナ１１から出力される信号のうち所望帯域の信号成分のみを通過させるバンドパスフィルタ、ＲＦ信号を増幅する低雑音増幅回路、ＲＦ信号をダウンコンバートするダウンコータなどを含む。
【００２１】
ＣＰ除去部１６は、ＲＦ部１５から出力される信号からＣＰを除去する。
ＦＦＴ部１７は、ＣＰ除去部１６から出力される時間領域の信号をＦＦＴによって、周波数領域の信号に変換して、複数のサブキャリアに復調する。
【００２２】
サブキャリア配置部１８は、たとえばＰＵＳＣに基づいて、ＦＦＴ部１７から出力される各サブキャリアを抽出する。
【００２３】
ＭＡＣ層処理部３１は、復調部３２と、復号部３３と、ユーザデータ受信管理部３４と、制御情報受信管理部３７と、通信品質管理部３５と、ＰＥＲ予想値テーブル記憶部３６と、ＴＨ１算出部３８と、ＴＨ２算出部３９と、設定部４０と、ＭＣＳテーブル記憶部４１と、再送制御部４２と、制御情報送信管理部４６と、ユーザデータ送信管理部４５と、符号化部４４と、変調部４３とを備える。
【００２４】
復調部３２は、無線端末からのアップリンク信号を復調する。
復号部３３は、復調されたアップリンク信号を復号する。
【００２５】
ユーザデータ受信管理部３４は、無線端末から受信したユーザデータを管理する。
制御情報受信管理部３７は、無線端末から受信したレンジング領域、ＣＱＩＣＨ領域、ＡＣＫ／ＮＡＣＫの制御情報を管理する。
【００２６】
通信品質管理部３５は、定期的に通信相手の無線端末から、その無線端末での受信信号（つまりダウンリンク信号）のＰＥＲ（Packet Error Rate：パケットエラーレート）と、ダウリンク信号のＣＩＮＲ（Carrier to Interference and Noise Ratio：搬送波レベル対干渉・雑音比）、あるいはこれらを代替できる情報の通知受ける。ＰＥＲは、受信したパケットのうち、エラーのあるパケットのある割合を表わす。ＣＩＮＲは、搬送波電力を干渉信号電力と雑音電力の和で除算した値で表わされる。
【００２７】
（ＭＣＳテーブル）
ＭＣＳテーブル記憶部４１は、ＭＣＳテーブルを記憶する。ここで、ＭＣＳは、変調方式（ＱＰＳＫ、１６ＱＡＭ、６４ＱＡＭなど）と符号化率（１／２、２／３、３／４など）を規定するものである。ＭＣＳテーブルは、所要ＣＩＮＲの範囲とＭＣＳとの対応を定める。所要ＣＩＮＲの範囲は、理論値、シミュレーション、または実測結果などから算出したものが用いられる。
【００２８】
図２は、ＭＣＳテーブルの例を表わす図である。
図２を参照して、たとえば所要ＣＩＮＲの範囲がｘ１［ｄＢ］以下は、ＱＰＳＫ  １／２に対応する。図２において、ＭＣＳがＱＰＳＫ  １／２のときに、スループットが最小である。ＭＣＳがＱＰＳＫ  ３／４、１６ＱＡＭ  １／２・・・に進むにつれて、スループットが増加し、ＭＣＳが６４ＱＡＭ  ５／６のときに、スループットが最大となる。
【００２９】
スループットが高い方向にＭＣＳを変化させることを本明細書では、「ＭＣＳを上げる（シフトアップする）」と記載し、スループットが低い方向にＭＣＳを変化させる場合に、本明細書では、「ＭＣＳを下げる（シフトダウンする）」と記載する。
【００３０】
（ＰＥＲ予想値テーブル）
ＰＥＲ予想値テーブル記憶部３６は、現在のＭＣＳと、現在のＣＩＮＲと、現在のＰＥＲに対して、ＭＣＳを１段階シフトダウンしたときのＰＥＲの予想値と、現在のＭＣＳと、現在のＣＩＮＲと、現在のＰＥＲに対して、ＭＣＳを１段階シフトアップしたときのＰＥＲの予想値とを定めたＰＥＲ予想値テーブルを記憶する。
【００３１】
図３は、ＰＥＲ予想値テーブルの例を表わす図である。
図３（ａ）では、現在のＣＩＮＲが０の場合に、現在のＭＣＳのＰＥＲに対して、ＭＣＳを変化させたときのＰＥＲの予想値が定められる。
【００３２】
たとえば、ＣＩＮＲが０で、現在のＭＣＳが１６ＱＡＭ  ３／４でＰＥＲがｄ０１（％）、ｄ０２（％）、ｄ０３（％）・・・のときに、ＭＣＳを６４ＱＡＭ  １／２にシフトアップしたときのＰＥＲの予想値はｅ０１（％）、ｅ０２（％）、ｅ０３（％）・・・となり、ＭＣＳを１６ＱＡＭ  １／２にシフトアップしたときのＰＥＲの予想値はｃ０１（％）、ｃ０２（％）、ｃ０３（％）・・・となる。
【００３３】
図３（ｂ）では、現在のＣＩＮＲが１の場合に、現在のＭＣＳのＰＥＲに対して、ＭＣＳを変化させたときのＰＥＲの予想値が定められる。
【００３４】
たとえば、ＣＩＮＲが１で、現在のＭＣＳが１６ＱＡＭ  ３／４でＰＥＲがｄ１１（％）、ｄ１２（％）、ｄ１３（％）・・・のときに、ＭＣＳを６４ＱＡＭ  １／２にシフトアップしたときのＰＥＲの予想値はｅ１１（％）、ｅ１２（％）、ｅ１３（％）・・・となり、ＭＣＳを１６ＱＡＭ  １／２にシフトアップしたときのＰＥＲの予想値はｃ１１（％）、ｃ１２（％）、ｃ１３（％）・・・となる。
【００３５】
（ＨＡＲＱ再送単位）
図４は、本発明の実施形態のＨＡＲＱサブバーストとＨＡＲＱサブバーストＩＥの例を説明するための図である。
【００３６】
図４を参照して、ＯＦＤＭＡ（Orthogonal Frequency Division Multiple Access）フレームは、下りサブフレームと、上りサブフレームからなる。
【００３７】
図４において、横軸は、時間軸としてシンボル単位で表示したもので、縦軸は、周波数軸としてサブチャネル単位で表示したものである。下りサブフレームおよび上りサブフレームそれぞれは、ＯＦＤＭシンボル（単位時間）で与えられる時間軸と、サブチャネルで与えられる周波数軸の２次元で表される。サブチャネルは、複数のサブキャリアから構成される。以下、シンボルで与えられる時間軸方向をシンボル方向、サブチャネルで与えられる周波数軸方向をサブチャネル方向と記すこともある。
【００３８】
下りサブフレームは、プリアンブルと、ＤＬ−ＭＡＰと、ＵＬ−ＭＡＰと、ダウンリンクユーザデータ領域とを含む。
【００３９】
ＵＬ−ＭＡＰ（Uplink Map）は、アップリンクユーザデータ領域に関する情報などの上りの無線リソースの割当情報が配置される。
【００４０】
ダウンリンクユーザデータ領域には、下りのユーザデータ（バースト）が配置される。ユーザデータ（バースト）は、ＨＡＲＱ（Hybrid Automatic Repeat Request）再送単位であるＨＡＲＱサブバーストに分割される。図４では、ＨＡＲＱサブバースト５１〜５５を代表的に示す。
【００４１】
プリアンブルは、同期確立などのために既知の信号が配置される。
ＤＬ−ＭＡＰ（Downlink Map）は、ダウンリンクユーザデータ領域に関する情報などの下りの無線リソースの割当情報が配置される。ＤＬ−ＭＡＰは、ＨＡＲＱサブバースト（再送単位）ごとにＨＡＲＱ サブバースト ＩＥを含む。
【００４２】
ＨＡＲＱ サブバースト ＩＥは、ＨＡＲＱサブバーストの位置を特定するための情報と、このサブバーストの再送制御に関する情報であるＡＣＫ／ＮＡＣＫ Ｅｎａｂｌｅ、またはＡＣＫ／ＮＡＣＫ Ｄｉｓａｂｌｅとを含む。
【００４３】
再送制御がＡＣＫ／ＮＡＣＫ Ｅｎａｂｌｅは、再送制御が必要であることを表わす。この場合、無線端末には、応答を送信するためのチャネル（ＡＣＫＣＨ）が割り当てられる。無線端末がＨＡＲＱサブバーストを正常に受信できた場合（通信エラーがない場合）には、無線基地局は、この応答チャネルを通じて無線端末からＡＣＫ信号を受信し、ＨＡＲＱバーストを正常に受信できなかった場合（通信エラーが発生した場合）に、無線基地局は、この応答チャネルを通じて無線端末からＮＡＣＫ信号を受信する。再送制御がＡＣＫ／ＮＡＣＫ Ｄｉｓａｂｌｅは、再送制御が不必要なことを表わす。この場合、無線端末には、応答を送信するためのチャネルが割り当てられない。無線基地局は、無線端末がＨＡＲＱバーストを正常に受信できたかどうかに係らず、無線端末からＡＣＫ信号およびＮＡＣＫ信号を受信しない。
【００４４】
本実施の形態では、ＨＡＲＱサブバースト５１，５２，５３，５４，５５に対して、ＤＬ−ＭＡＰは、ＨＡＲＱ サブバースト ＩＥ６１，６２，６３，６４，６５を含む。
【００４５】
上りサブフレームは、レンジング領域と、ＣＱＩＣＨ領域と、ＡＣＫＣＨ領域と、アップリンクユーザデータ領域とを含む。
【００４６】
レンジング領域には、レンジング信号が配置される。
ＣＱＩＣＨ（channel quality information channel）領域は、チャネル品質を表わす信号が配置される。
【００４７】
ＡＣＫＣＨ（Acknowledgement Channel）領域は、チャネル確認応答（ＡＣＫ／ＮＡＣＫ）を表わす信号が配置される。図４に示すように、本実施の形態では、ＨＡＲＱサブバースト５１，５２，５３，５４，５５に対して、ＡＣＫＣＨ領域は、ＡＣＫ／ＮＡＣＫ７１，７２，７３，７４，７５を含む。
【００４８】
サウンディングゾーンには、サウンディング信号が配置される。
アップリンクユーザデータ領域には、上りのユーザデータが配置される。
【００４９】
設定部４０は、ＭＣＳテーブルを参照して、取得したＣＩＮＲが、所要ＣＩＮＲの範囲に含まれるようにＭＣＳを設定する。たとえば、設定部４０は、取得したＣＩＮＲが、ｘ３よりも大きく、かつｘ４以下の場合には、ＭＣＳを１６ＱＡＭ  ３／４に設定する。
【００５０】
ＴＨ１算出部３８およびＴＨ２算出部３９は、ＭＣＳの変更の条件に該当する場合に、ＭＣＳ変更後のスループット、およびＨＡＲＱ再送単位の変更後のスループットを算出する。
【００５１】
下りサブフレームの無線リソース（サブキャリア）の数をＦとし、ＭＣＳ＝ｉで単位サブキャリア当りの伝送可能なデータ量（ビット）をＭ（ｉ）とし、下りユーザデータ領域のＨＡＲＱ再送単位（サブバースト）当りの伝送可能なデータ量（ビット）をｎとし、制御データ（つまり、ＤＬ−ＭＡＰ、ＵＬ−ＭＡＰ、プリアンブル）の送信のために必要な無線リソース（サブキャリア）の数をＣ（ｎ）とし、ＭＣＳ＝ｉでのＰＥＲをＰ（ｉ）とし、平均パケットサイズをＳとしたときに、１フレーム当り（つまりフレーム周期ごと）の実効伝送量（スループット）ＴＨは、以下の式で算出される。
【００５２】
ＴＨ（ｎ，ｉ）＝（Ｆ−Ｃ（ｎ））×（ｉ）×（１−Ｐ（ｉ））(n/S)・・・（１）
ＴＨ１算出部３８は、ＭＣＳのシフトダウンの条件に該当する場合に、ＰＥＲ予想値テーブルから、現在のＭＣＳ、取得したＣＩＮＲ、および取得したＰＥＲの下で、ＭＣＳを１段階シフトダウンしたときのＰＥＲの予想値を読出す。
【００５３】
ＴＨ１算出部３８は、ＭＣＳのシフトダウンの条件に該当する場合に、ＭＣＳを１段階シフトダウンしたときのＰＥＲの予想値を式（１）のＰ（ｉ）として用いて、ＭＣＳを１段階シフトダウンしたときのスループットの予想値ＴＨ１を算出する。すなわち、式（１）において、ｎを固定し、ｉの値を１つ減少させたときのＴＨ（ｎ，ｉ）の値をスループットＴＨ１として算出する。
【００５４】
ＴＨ２算出部３９は、ＭＣＳのシフトダウンの条件に該当する場合に、下りユーザデータ領域内のＨＡＲＱサブバーストの大きさ(ビット）を所定の範囲内で減少させたときに最もスループットが高くなるようなＨＡＲＱサブバーストの大きさＮ（ビット）と、その大きさＮ（ビット）でのスループットの予想値ＴＨ２を算出する。すなわち、式（１）において、ｉを固定し、ｎの値を減少させたときにＴＨ（ｎ，ｉ）の値が最大となるようなｉの値を大きさＮ（ビット）とし、そのときのＴＨ（ｎ，ｉ）の値をスループットＴＨ２として算出する。
【００５５】
ＴＨ１算出部３８は、ＭＣＳのシフトアップの条件に該当する場合に、ＰＥＲ予想値テーブルから、現在のＭＣＳ、取得したＣＩＮＲ、および取得したＰＥＲの下で、ＭＣＳを１段階シフトアップしたときのＰＥＲの予想値を読出す。
【００５６】
ＴＨ１算出部３８は、ＭＣＳのシフトアップの条件に該当する場合に、ＭＣＳを１段階シフトアップしたときのＰＥＲの予想値を式（１）のＰ（ｉ）として用いて、ＭＣＳを１段階シフトアップしたときのスループットの予想値ＴＨ１を算出する。すなわち、式（１）において、ｎを固定し、ｉの値を１つ増加させたときのＴＨ（ｎ，ｉ）の値をスループットＴＨ１として算出する。
【００５７】
ＴＨ２算出部３９は、ＭＣＳのシフトアップの条件に該当する場合に、下りユーザデータ領域内のＨＡＲＱサブバーストの大きさ（ビット）を所定の範囲内で増加させたときに最もスループットが高くなるようなＨＡＱＲサブバーストの大きさ（ビット）と、その大きさＮ（ビット）でのスループットの予想値ＴＨ２を算出する。すなわち、式（１）において、ｉを固定し、ｎの値を増加させたときにＴＨ（ｎ，ｉ）の値が最大となるようなｉの値を大きさＮ（ビット）とし、そのときのＴＨ（ｎ，ｉ）の値をスループットＴＨ２として算出する。
【００５８】
設定部４０は、ＭＣＳのシフトダウンの条件に該当するときに、ＴＨ１がＴＨ２以上の場合には、ＭＣＳを１段階シフトダウンし、ＴＨ１がＴＨ２未満のときには、ＨＡＲＱサブバーストの大きさをＮビットに減少させる。
【００５９】
設定部４０は、ＭＣＳのシフトアップの条件に該当するときに、ＴＨ１がＴＨ２以上の場合には、ＭＣＳを１段階シフトアップし、ＴＨ１がＴＨ２未満のときには、ＨＡＲＱサブバーストの大きさをＮビットに増加させる。
【００６０】
制御情報送信管理部４６は、無線端末へ送信するＤＬ−ＭＡＰ、ＵＬＭＡＰの情報を管理する。
【００６１】
ユーザデータ送信管理部４５は、無線端末へ送信するユーザデータを管理する。
符号化部４４は、設定部４０から指示されるＭＣＳの符号化レートに従って、符号化されたダウンリンク信号を符号化する。ＭＣＳは、変調方式（ＱＰＳＫ、１６ＱＡＭ、６４ＱＡＭなど）と符号化率（１／２、２／３、３／４）を規定する。
【００６２】
変調部４３は、設定部４０から指示されるＭＣＳの変調方式に従って、無線端末へのダウンリンク信号を変調する。
【００６３】
再送制御部４２は、ＮＡＣＫを受信したＨＡＲＱ再送単位（サブバースト）を再送するように制御する。
【００６４】
（動作）
図５は、第１の実施形態の無線基地局におけるＭＣＳおよびＨＡＲＱ再送単位の設定手順を表わすフローチャートである。
【００６５】
図５を参照して、設定部４０は、通信品質管理部３５から現在のＣＩＮＲおよびＰＥＲの値を取得する。設定部４０は、ＭＣＳテーブルを参照して、現在のＭＣＳにおけるＣＩＮＲの範囲に、取得したＣＩＮＲの値が含まれない場合には（ステップＳ１０１でＹＥＳ）、取得したＣＩＮＲの値がＣＩＮＲの範囲に含まれるようなＭＣＳに切替える（ステップＳ１０２）。
【００６６】
次に、ＭＣＳのシフトダウンの条件に該当する場合、たとえば、通信品質管理部３５から取得したＰＥＲの過去２００フレームの平均値が１０％以上の場合（ステップＳ１０３でＹＥＳ）、ＴＨ１算出部３８は、ＰＥＲ予想値テーブルから、現在のＭＣＳ、取得したＣＩＮＲ、および取得したＰＥＲの下で、ＭＣＳを１段階シフトダウンしたときのＰＥＲの予想値を読出す（ステップＳ１０４）。
【００６７】
次に、ＴＨ１算出部３８は、ＰＥＲの予想値に基づいて、ＭＣＳを１段階シフトダウンしたときのスループットの予想値ＴＨ１を算出する（ステップＳ１０５）。
【００６８】
次に、ＴＨ２算出部３９は、ＨＡＲＱサブバーストの大きさを所定の範囲内で減少させたときに最もスループットが高くなるようなサブバーストの大きさＮ（ビット）と、その大きさＮでのスループットの予想値ＴＨ２を算出する（ステップＳ１０６）。
【００６９】
次に、設定部４０は、ＴＨ１がＴＨ２以上のときには（ステップＳ１０７でＹＥＳ）、ＭＣＳを１段階シフトダウンする（ステップＳ１０８）。
【００７０】
一方、設定部４０は、ＴＨ１がＴＨ２未満のときには（ステップＳ１０７でＮＯ）、ＨＡＲＱサブバーストの大きさをＮビットに減少させる（ステップＳ１０９）。
【００７１】
次に、ＭＣＳのシフトアップの条件に該当する場合、たとえば、通信品質管理部３５から取得したＰＥＲの過去２００フレームの平均値が５％未満の場合（ステップＳ１１１でＹＥＳ）、ＴＨ１算出部３８は、ＰＥＲ予想値テーブルから、現在のＭＣＳ、取得したＣＩＮＲ、および取得したＰＥＲの下で、ＭＣＳを１段階シフトアップしたときのＰＥＲの予想値を読出す（ステップＳ１１２）。
【００７２】
次に、ＴＨ１算出部３８は、ＰＥＲの予想値に基づいて、ＭＣＳを１段階シフトアップしたときのスループットの予想値ＴＨ１を算出する（ステップＳ１１３）。
【００７３】
次に、ＴＨ２算出部３９は、ＨＡＲＱサブバーストの大きさを所定の範囲内で増加させたときに最もスループットが高くなるようなサブバーストの大きさＮと、その大きさＮでのスループットの予想値ＴＨ２を算出する（ステップＳ１１４）。
【００７４】
次に、設定部４０は、ＴＨ１がＴＨ２以上のときには（ステップＳ１１５でＹＥＳ）、ＭＣＳを１段階シフトアップする（ステップＳ１１６）。
【００７５】
一方、設定部４０は、ＴＨ１がＴＨ２未満のときには（ステップＳ１１５でＮＯ）、ＨＡＲＱサブバーストの大きさをＮビットに増加させる（ステップＳ１１７）。
【００７６】
通信が終了するまで（ステップＳ１１０でＹＥＳ）、上述のステップＳ１０３〜Ｓ１１７の処理が繰返される。
【００７７】
以上のように、第１の実施形態によれば、ＭＣＳを変更する場合と、ＨＡＲＱサブバーストの大きさを変更する場合のスループットの予想値を比較し、高いスループットが得られる方に切替えることができる。
【００７８】
［第１の実施形態の変形例］
（構成）
図６は、第１の実施形態の変形例の無線基地局の構成を表わす図である。
【００７９】
この無線基地局が、図１の無線基地局と相違する点は、ＴＨ１算出部１３８におけるＰＥＲの予想値の算出方法と、ＰＥＲ変化予想値テーブル記憶部１３６である。
【００８０】
（ＰＥＲ変化予想値テーブル）
ＰＥＲ変化予想値テーブル記憶部１３６は、現在のＭＣＳと、現在のＣＩＮＲに対して、ＭＣＳを１段階シフトダウンしたときのＰＥＲの変化予想値と、現在のＭＣＳと、現在のＣＩＮＲに対して、ＭＣＳを１段階シフトアップしたときのＰＥＲの変化予想値とを定めたＰＥＲ変化予想値テーブルを記憶する。
【００８１】
図７は、ＰＥＲ変化予想値テーブルの例を表わす図である。
図７（ａ）では、現在のＭＣＳと、現在のＣＩＮＲに対して、ＭＣＳを１段階シフトアップしたときのＰＥＲの変化予想値が定められる。
【００８２】
たとえば、現在のＭＣＳがＱＰＳＫ  １／２で、ＣＩＮＲが０，１，２の場合に、ＭＣＳを１段階シフトアップしたときのＰＥＲの変化予想値は、Δｕａ１％、Δｕａ２％、Δｕａ３％である。
【００８３】
図７（ｂ）では、現在のＭＣＳと、現在のＣＩＮＲに対して、ＭＣＳを１段階シフトダウンしたときのＰＥＲの変化予想値が定められる。
【００８４】
たとえば、現在のＭＣＳがＱＰＳＫ  ３／４で、ＣＩＮＲが０，１，２の場合に、ＭＣＳを１段階シフトダウンしたときのＰＥＲの変化予想値は、−Δｄａ１％、−Δｄａ２％、−Δｄａ３％である。
【００８５】
ＴＨ１算出部１３８は、ＭＣＳのシフトダウンの条件に該当する場合に、ＰＥＲ変化予想値テーブルから、現在のＭＣＳ、取得したＣＩＮＲの下で、ＭＣＳを１段階シフトダウンしたときのＰＥＲの変化予想値を読出す。ＴＨ１算出部１３８は、読み出したＰＥＲの変化予想値と、取得したＰＥＲとを加算して、ＰＥＲの予想値を算出する。
【００８６】
ＴＨ１算出部１３８は、ＭＣＳのシフトアップの条件に該当する場合に、ＰＥＲ変化予想値テーブルから、現在のＭＣＳ、取得したＣＩＮＲの下で、ＭＣＳを１段階シフトアップしたときのＰＥＲの変化予想値を読出す。ＴＨ１算出部１３８は、読み出したＰＥＲの変化予想値と、取得したＰＥＲとを加算して、ＰＥＲの予想値を算出する。
【００８７】
（動作）
図８は、第１の実施形態の変形例の無線基地局におけるＭＣＳおよびＨＡＲＱ再送単位の設定手順を表わすフローチャートである。
【００８８】
図８を参照して、設定部４０は、通信品質管理部３５から現在のＣＩＮＲおよびＰＥＲの値を取得する。設定部４０は、ＭＣＳテーブルを参照して、現在のＭＣＳにおけるＣＩＮＲの範囲に、取得したＣＩＮＲの値が含まれない場合には（ステップＳ２０１でＹＥＳ）、取得したＣＩＮＲの値がＣＩＮＲの範囲に含まれるようなＭＣＳに切替える（ステップＳ２０２）。
【００８９】
次に、ＭＣＳのシフトダウンの条件に該当する場合、たとえば、通信品質管理部３５から取得したＰＥＲの過去２００フレームの平均値が１０％以上の場合（ステップＳ２０３でＹＥＳ）、ＴＨ１算出部１３８は、ＰＥＲ変化予想値テーブルから、現在のＭＣＳ、取得したＣＩＮＲの下で、ＭＣＳを１段階シフトダウンしたときのＰＥＲの変化予想値を読出す。ＴＨ１算出部１３８は、読み出したＰＥＲの変化予想値と、取得したＰＥＲとを加算して、ＰＥＲの予想値を算出する（ステップＳ２０４）。
【００９０】
次に、ＴＨ１算出部１３８は、ＰＥＲの予想値に基づいて、ＭＣＳを１段階シフトダウンしたときのスループットの予想値ＴＨ１を算出する（ステップＳ２０５）。
【００９１】
次に、ＴＨ２算出部３９は、ＨＡＲＱサブバーストの大きさを所定の範囲内で減少させたときに最もスループットが高くなるようなサブバーストの大きさＮ（ビット）と、その大きさＮでのスループットの予想値ＴＨ２を算出する（ステップＳ２０６）。
【００９２】
次に、設定部４０は、ＴＨ１がＴＨ２以上のときには（ステップＳ２０７でＹＥＳ）、ＭＣＳを１段階シフトダウンする（ステップＳ２０８）。
【００９３】
一方、設定部４０は、ＴＨ１がＴＨ２未満のときには（ステップＳ２０７でＮＯ）、ＨＡＲＱサブバーストの大きさをＮビットに減少させる（ステップＳ２０９）。
【００９４】
次に、ＭＣＳのシフトアップの条件に該当する場合、たとえば、通信品質管理部３５から取得したＰＥＲの過去２００フレームの平均値が５％未満の場合（ステップＳ２１１でＹＥＳ）、ＴＨ１算出部１３８は、ＰＥＲ変化予想値テーブルから、現在のＭＣＳ、取得したＣＩＮＲの下で、ＭＣＳを１段階シフトアップしたときのＰＥＲの変化予想値を読出す。ＴＨ１算出部１３８は、読み出したＰＥＲの変化予想値と、取得したＰＥＲとを加算して、ＰＥＲの予想値を算出する（ステップＳ２１２）。
【００９５】
次に、ＴＨ１算出部１３８は、ＰＥＲの予想値に基づいて、ＭＣＳを１段階シフトアップしたときのスループットの予想値ＴＨ１を算出する（ステップＳ２１３）。
【００９６】
次に、ＴＨ２算出部３９は、ＨＡＲＱサブバーストの大きさを所定の範囲内で増加させたときに最もスループットが高くなるようなサブバーストの大きさＮと、その大きさＮでのスループットの予想値ＴＨ２を算出する（ステップＳ２１４）。
【００９７】
次に、設定部４０は、ＴＨ１がＴＨ２以上のときには（ステップＳ２１５でＹＥＳ）、ＭＣＳを１段階シフトアップする（ステップＳ２１６）。
【００９８】
一方、設定部４０は、ＴＨ１がＴＨ２未満のときには（ステップＳ２１５でＮＯ）、ＨＡＲＱサブバーストの大きさをＮビットに増加させる（ステップＳ２１７）。
【００９９】
通信が終了するまで（ステップＳ２１０でＹＥＳ）、上述のステップＳ２０３〜Ｓ２１７の処理が繰返される。
【０１００】
以上のように、第１の実施形態の変形例によれば、第１の実施形態と同様に、ＭＣＳを変更する場合と、ＨＡＲＱサブバーストの大きさを変更する場合のスループットの予想値を比較し、高いスループットが得られる方に切替えることができる。
【０１０１】
［第２の実施形態］
（構成）
図９は、第２の実施形態の無線基地局の構成を表わす図である。
【０１０２】
この無線基地局が、図１の無線基地局と相違する点は、ＰＥＲ予想値テーブル記憶部３６を備えない点と、ＴＨ１算出部２３８の機能である。
【０１０３】
ＴＨ１算出部２３８は、符号化部および変調部を指示して、現在のＭＣＳを一時的に１段階シフトダウン、またはシフトアップさせて、テスト通信を行なわせる。ＴＨ１算出部２３８は、テスト通信におけるスループットＴＨ１を算出する。
【０１０４】
（動作）
図１０は、第２の実施形態の無線基地局におけるＭＣＳおよびＨＡＲＱ再送単位の設定手順を表わすフローチャートである。
【０１０５】
図１０を参照して、設定部４０は、通信品質管理部３５から現在のＣＩＮＲおよびＰＥＲの値を取得する。設定部４０は、ＭＣＳテーブルを参照して、現在のＭＣＳにおけるＣＩＮＲの範囲に、取得したＣＩＮＲの値が含まれない場合には（ステップＳ３０１でＹＥＳ）、取得したＣＩＮＲの値がＣＩＮＲの範囲に含まれるようなＭＣＳに切替える（ステップＳ３０２）。
【０１０６】
次に、ＭＣＳのシフトダウンの条件に該当する場合、たとえば、通信品質管理部３５から取得したＰＥＲの過去２００フレームの平均値が１０％以上の場合（ステップＳ３０３でＹＥＳ）、ＴＨ１算出部２３８は、符号化部および変調部を指示して現在のＭＣＳを一時的に１段階シフトダウンさせて、テスト通信を行なわせ、テスト通信におけるスループットＴＨ１を算出する（ステップＳ３０５）。
【０１０７】
次に、ＴＨ２算出部３９は、ＨＡＲＱサブバーストの大きさを所定の範囲内で減少させたときに最もスループットが高くなるようなサブバーストの大きさＮ（ビット）と、その大きさＮでのスループットの予想値ＴＨ２を算出する（ステップＳ３０６）。
【０１０８】
次に、設定部４０は、ＴＨ１がＴＨ２以上のときには（ステップＳ３０７でＹＥＳ）、ＭＣＳを１段階シフトダウンする（ステップＳ３０８）。
【０１０９】
一方、設定部４０は、ＴＨ１がＴＨ２未満のときには（ステップＳ３０７でＮＯ）、ＨＡＲＱサブバーストの大きさをＮビットに減少させる（ステップＳ３０９）。
【０１１０】
次に、ＭＣＳのシフトアップの条件に該当する場合、たとえば、通信品質管理部３５から取得したＰＥＲの過去２００フレームの平均値が５％未満の場合（ステップＳ３１１でＹＥＳ）、ＴＨ１算出部２３８は、符号化部および変調部を指示して現在のＭＣＳを一時的に１段階シフトアップさせて、テスト通信を行なわせ、テスト通信におけるスループットＴＨ１を算出する（ステップＳ３１３）。
【０１１１】
次に、ＴＨ２算出部３９は、ＨＡＲＱサブバーストの大きさを所定の範囲内で増加させたときに最もスループットが高くなるようなサブバーストの大きさＮと、その大きさＮでのスループットの予想値ＴＨ２を算出する（ステップＳ３１４）。
【０１１２】
次に、設定部４０は、ＴＨ１がＴＨ２以上のときには（ステップＳ３１５でＹＥＳ）、ＭＣＳを１段階シフトアップする（ステップＳ３１６）。
【０１１３】
一方、設定部４０は、ＴＨ１がＴＨ２未満のときには（ステップＳ３１５でＮＯ）、ＨＡＲＱサブバーストの大きさをＮビットに増加させる（ステップＳ３１７）。
【０１１４】
通信が終了するまで（ステップＳ３１０でＹＥＳ）、上述のステップＳ３０３〜Ｓ３１７の処理が繰返される。
【０１１５】
以上のように、第２の実施形態によれば、ＭＣＳを変更する場合のスループットの実測値と、ＨＡＲＱサブバーストの大きさを変更する場合のスループットの予想値を比較し、高いスループットが得られる方に切替えることができる。
【０１１６】
［第３の実施形態］
（構成）
図１１は、第３の実施形態の無線基地局の構成を表わす図である。
【０１１７】
この無線基地局が、図１の無線基地局と相違する点は、ＴＨ２算出部２３９の機能である。
【０１１８】
ＴＨ２算出部２３９は、設定部４０を指示して、現在のＨＡＲＱサブバーストの大きさを一時的に所定の範囲内で減少または増加させて、テスト通信を行なわせる。ＴＨ２算出部２３９は、テスト通信において、最もスループットが高くなるようなサブバーストの大きさＮ（ビット）と、その大きさＮでのスループットＴＨ２を算出する。
【０１１９】
（動作）
図１２は、第３の実施形態の無線基地局におけるＭＣＳおよびＨＡＲＱ再送単位の設定手順を表わすフローチャートである。
【０１２０】
図１２を参照して、設定部４０は、通信品質管理部３５から現在のＣＩＮＲおよびＰＥＲの値を取得する。設定部４０は、ＭＣＳテーブルを参照して、現在のＭＣＳにおけるＣＩＮＲの範囲に、取得したＣＩＮＲの値が含まれない場合には（ステップＳ４０１でＹＥＳ）、取得したＣＩＮＲの値がＣＩＮＲの範囲に含まれるようなＭＣＳに切替える（ステップＳ４０２）。
【０１２１】
次に、ＭＣＳのシフトダウンの条件に該当する場合、たとえば、通信品質管理部３５から取得したＰＥＲの過去２００フレームの平均値が１０％以上の場合（ステップＳ４０３でＹＥＳ）、ＴＨ１算出部３８は、ＰＥＲ予想値テーブルから、現在のＭＣＳ、取得したＣＩＮＲ、および取得したＰＥＲの下で、ＭＣＳを１段階シフトダウンしたときのＰＥＲの予想値を読出す（ステップＳ４０４）。
【０１２２】
次に、ＴＨ１算出部３８は、ＰＥＲの予想値に基づいて、ＭＣＳを１段階シフトダウンしたときのスループットの予想値ＴＨ１を算出する（ステップＳ４０５）。
【０１２３】
次に、ＴＨ２算出部２３９は、設定部４０を指示して、現在のＨＡＲＱサブバーストの大きさを一時的に所定の範囲内で減少させて、テスト通信を行なわせる。ＴＨ２算出部２３９は、テスト通信において、最もスループットが高くなるようなサブバーストの大きさＮ（ビット）と、その大きさＮでのスループットＴＨ２を算出する（ステップＳ４０６）。
【０１２４】
次に、設定部４０は、ＴＨ１がＴＨ２以上のときには（ステップＳ４０７でＹＥＳ）、ＭＣＳを１段階シフトダウンする（ステップＳ４０８）。
【０１２５】
一方、設定部４０は、ＴＨ１がＴＨ２未満のときには（ステップＳ４０７でＮＯ）、ＨＡＲＱサブバーストの大きさをＮビットに減少させる（ステップＳ４０９）。
【０１２６】
次に、ＭＣＳのシフトアップの条件に該当する場合、たとえば、通信品質管理部３５から取得したＰＥＲの過去２００フレームの平均値が５％未満の場合（ステップＳ４１１でＹＥＳ）、ＴＨ１算出部３８は、ＰＥＲ予想値テーブルから、現在のＭＣＳ、取得したＣＩＮＲ、および取得したＰＥＲの下で、ＭＣＳを１段階シフトアップしたときのＰＥＲの予想値を読出す（ステップＳ４１２）。
【０１２７】
次に、ＴＨ１算出部３８は、ＰＥＲの予想値に基づいて、ＭＣＳを１段階シフトアップしたときのスループットの予想値ＴＨ１を算出する（ステップＳ４１３）。
【０１２８】
次に、ＴＨ２算出部２３９は、設定部４０を指示して、現在のＨＡＲＱサブバーストの大きさを一時的に所定の範囲内で増加させて、テスト通信を行なわせる。ＴＨ２算出部２３９は、テスト通信において、最もスループットが高くなるようなサブバーストの大きさＮ（ビット）と、その大きさＮでのスループットＴＨ２を算出する（ステップＳ４１４）。
【０１２９】
次に、設定部４０は、ＴＨ１がＴＨ２以上のときには（ステップＳ４１５でＹＥＳ）、ＭＣＳを１段階シフトアップする（ステップＳ４１６）。
【０１３０】
一方、設定部４０は、ＴＨ１がＴＨ２未満のときには（ステップＳ４１５でＮＯ）、ＨＡＲＱサブバーストの大きさをＮビットに増加させる（ステップＳ４１７）。
【０１３１】
通信が終了するまで（ステップＳ４１０でＹＥＳ）、上述のステップＳ４０３〜Ｓ４１７の処理が繰返される。
【０１３２】
以上のように、第３の実施形態によれば、ＭＣＳを変更する場合のスループットの予想値と、ＨＡＲＱサブバーストの大きさを変更する場合のスループットの実測値を比較し、高いスループットが得られる方に切替えることができる。
【０１３３】
［第４の実施形態］
（構成）
図１３は、第４の実施形態の無線基地局の構成を表わす図である。
【０１３４】
この無線基地局が、図１の無線基地局と相違する点は、ＰＥＲ予想値テーブル記憶部３６を備えない点と、ＴＨ１算出部２３８およびＴＨ２算出部２３９の機能である。
【０１３５】
ＴＨ１算出部２３８は、符号化部および変調部を指示して、現在のＭＣＳを一時的に１段階シフトダウン、またはシフトアップさせて、テスト通信を行なわせる。ＴＨ１算出部２３８は、テスト通信におけるスループットＴＨ１を算出する。
【０１３６】
ＴＨ２算出部２３９は、設定部４０を指示して、現在のＨＡＲＱサブバーストの大きさを一時的に所定の範囲内で減少または増加させて、テスト通信を行なわせる。ＴＨ２算出部２３９は、テスト通信において、最もスループットが高くなるようなサブバーストの大きさＮ（ビット）と、その大きさＮでのスループットＴＨ２を算出する。
【０１３７】
（動作）
図１４は、第４の実施形態の無線基地局におけるＭＣＳおよびＨＡＲＱ再送単位の設定手順を表わすフローチャートである。
【０１３８】
図１４を参照して、設定部４０は、通信品質管理部３５から現在のＣＩＮＲおよびＰＥＲの値を取得する。設定部４０は、ＭＣＳテーブルを参照して、現在のＭＣＳにおけるＣＩＮＲの範囲に、取得したＣＩＮＲの値が含まれない場合には（ステップＳ５０１でＹＥＳ）、取得したＣＩＮＲの値がＣＩＮＲの範囲に含まれるようなＭＣＳに切替える（ステップＳ５０２）。
【０１３９】
次に、ＭＣＳのシフトダウンの条件に該当する場合、たとえば、通信品質管理部３５から取得したＰＥＲの過去２００フレームの平均値が１０％以上の場合（ステップＳ５０３でＹＥＳ）、ＴＨ１算出部２３８は、符号化部および変調部を指示して現在のＭＣＳを一時的に１段階シフトダウンさせて、テスト通信を行なわせ、テスト通信におけるスループットＴＨ１を算出する（ステップＳ５０５）。
【０１４０】
次に、ＴＨ２算出部２３９は、設定部４０を指示して、現在のＨＡＲＱサブバーストの大きさを一時的に所定の範囲内で減少させて、テスト通信を行なわせる。ＴＨ２算出部２３９は、テスト通信において、最もスループットが高くなるようなサブバーストの大きさＮ（ビット）と、その大きさＮでのスループットＴＨ２を算出する（ステップＳ５０６）。
【０１４１】
次に、設定部４０は、ＴＨ１がＴＨ２以上のときには（ステップＳ５０７でＹＥＳ）、ＭＣＳを１段階シフトダウンする（ステップＳ５０８）。
【０１４２】
一方、設定部４０は、ＴＨ１がＴＨ２未満のときには（ステップＳ５０７でＮＯ）、ＨＡＲＱサブバーストの大きさをＮビットに減少させる（ステップＳ５０９）。
【０１４３】
次に、ＭＣＳのシフトアップの条件に該当する場合、たとえば、通信品質管理部３５から取得したＰＥＲの過去２００フレームの平均値が５％未満の場合（ステップＳ５１１でＹＥＳ）、ＴＨ１算出部２３８は、符号化部および変調部を指示して現在のＭＣＳを一時的に１段階シフトアップさせて、テスト通信を行なわせ、テスト通信におけるスループットＴＨ１を算出する（ステップＳ５１３）。
【０１４４】
次に、ＴＨ２算出部２３９は、設定部４０を指示して、現在のＨＡＲＱサブバーストの大きさを一時的に所定の範囲内で増加させて、テスト通信を行なわせる。ＴＨ２算出部２３９は、テスト通信において、最もスループットが高くなるようなサブバーストの大きさＮ（ビット）と、その大きさＮでのスループットＴＨ２を算出する（ステップＳ５１４）。
【０１４５】
次に、設定部４０は、ＴＨ１がＴＨ２以上のときには（ステップＳ５１５でＹＥＳ）、ＭＣＳを１段階シフトアップする（ステップＳ５１６）。
【０１４６】
一方、設定部４０は、ＴＨ１がＴＨ２未満のときには（ステップＳ５１５でＮＯ）、ＨＡＲＱサブバーストの大きさをＮビットに増加させる（ステップＳ５１７）。
【０１４７】
通信が終了するまで（ステップＳ５１０でＹＥＳ）、上述のステップＳ５０３〜Ｓ５１７の処理が繰返される。
【０１４８】
以上のように、第４の実施形態によれば、ＭＣＳを変更する場合のスループットの実測値と、ＨＡＲＱサブバーストの大きさを変更する場合のスループットの実測値を比較し、高いスループットが得られる方に切替えることができる。
【０１４９】
（変形例）
本発明は、上記の実施形態や変形例に限定されるものではなく、さらに以下のような変形例も含む。
【０１５０】
本発明の実施形態の図５、８、１０、１２、１４において、通信が終了するまで、ステップＳ１０３、Ｓ２０３、Ｓ３０３、Ｓ４０３、Ｓ５０３に戻ることとしたが、これに限定するものではない。たとえば、ＭＳＣのレベルが３レベルにわたるほど大きなＣＩＮＲの変動がある場合には、ステップＳ１０１、Ｓ２０２、Ｓ３０１、Ｓ４０１、Ｓ５０１に戻り、そのような大きなＣＩＮＲの変動がない場合には、ステップＳ１０３、Ｓ２０３、Ｓ３０３、Ｓ４０３、Ｓ５０３に戻ることとしてもよい。
【０１５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５２】
１０，１１  アンテナ、１５，２０  ＲＦ部、１６  ＣＰ除去部、１７  ＦＦＴ部、１８，２３  サブキャリア配置部、２１  ＣＰ付加部、２２  ＩＦＦＴ部、２４  マルチアンテナ送信信号処理部、３１  ＭＡＣ層処理部、３２  復調部、３３  復号部、３４  ユーザデータ受信管理部、３５  通信品質管理部、３６  ＰＥＲ予想値テーブル記憶部、３７  制御情報受信管理部、３８，１３８，２３８  ＴＨ１算出部、３９，２３９  ＴＨ２算出部、４０  設定部、４１  ＭＣＳテーブル記憶部、４２  再送制御部、４３  変調部、４４  符号化部、４５  ユーザデータ送信管理部、４６  制御情報送信管理部、１３６  ＰＥＲ変化予想値テーブル記憶部。
【図１】
0005473955.tif 000002
【図２】
0005473955.tif 000003
【図３】
0005473955.tif 000004
【図４】
0005473955.tif 000005
【図５】
0005473955.tif 000006
【図６】
0005473955.tif 000007
【図７】
0005473955.tif 000008
【図８】
0005473955.tif 000009
【図９】
0005473955.tif 000010
【図１０】
0005473955.tif 000011
【図１１】
0005473955.tif 000012
【図１２】
0005473955.tif 000013
【図１３】
0005473955.tif 000014
【図１４】
0005473955.tif 000015